【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
引抜き紐（１３０）に取付けられた子宮内器具（ＩＵＤ）（１２０）を挿入および位置付けるための、近端（２０）および遠端（３０）を有する挿入器具（１００）であって、
ａ）  中心縦軸を有し、中空保護チューブ（１１０）が摺動可能に取付られるように構成されるプランジャ（１０２）を備え、前記プランジャ（１０２）の前記遠端（３０）は、前記ＩＵＤ（１２０）と取外し可能に接続されるように構成され、前記保護チューブ（１１０）は、前記ＩＵＤ（１２０）を摺動可能に覆うように構成され、前記挿入器具（１００）はさらに、
ｂ）  前記プランジャ（１０２）の前記近端（２０）に取付けられるハンドル（１０４）と、
ｃ）  前記プランジャ（１０２）に対して前記遠端（３０）方向に延在する、前記ハンドル（１０４）の一部を構成する縦方向部材（１５０）とを備え、前記縦方向部材（１５０）は、摩擦接触表面（１５２）を含み、前記保護チューブ（１１０）は、前記摩擦接触表面（１５２）に対して摩擦係合可能であり、
前記摩擦接触表面（１５２）の前記保護チューブ（１１０）に対する摩擦係合は、手動により作動可能であり、前記摩擦接触表面（１５２）の前記保護チューブ（１１０）に対する摩擦係合は、前記プランジャ（１０２）に相対的な前記保護チューブ（１１０）の摺動に対する抵抗を増加させる、挿入器具（１００）。
【請求項２】
前記縦方向部材（１５０）は、前記プランジャ（１０２）に本質的に固定された関係にあり、前記プランジャ（１０２）の前記中心縦軸に相対的に、本質的に半径方向の力を受けるように構成され、前記力は、前記保護チューブ（１１０）の手動による作動の際に、前記保護チューブ（１１０）により加えられる、請求項１に記載の挿入器具（１００）。
【請求項３】
前記摩擦接触表面（１５２）は、縦方向誘導レール（１５６）で構成され、前記保護チューブ（１１０）は、前記近端（２０）にカフ（１１６）を有して設けられ、前記縦方向誘導レール（１５６）および前記カフ（１１６）は、摺動可能に接続される、請求項２に記載の挿入器具（１００）。
【請求項４】
前記縦方向部材（１５０）は、縦方向の誘導スロット（１５１）を備え、前記カフ（１１６）は、Ｔ字型突起（１５３）を有するように配置され、前記Ｔ字型突起（１５３）が前記縦方向の誘導スロット（１５１）に沿って摺動可能に係合することにより、前記保護チューブ（１１０）は前記縦方向部材（１５０）に相対的に摺動できる、請求項１〜３のいずれかに記載の挿入器具（１００）。
【請求項５】
前記プランジャ（１０２）は、前記引抜き紐（１３０）を受けるための縦方向の溝を有するように配置される、請求項１〜４のいずれかに記載の挿入器具（１００）。
【請求項６】
前記プランジャは、前記ＩＵＤ（１２０）の中心ロッド（１２４）の前記近端（２０）に取外し可能に結合するように構成された遠位先端を終端とする、請求項１〜５のいずれかに記載の挿入器具（１００）。
【請求項７】
中心内腔を有する前記保護チューブ（１１０）をさらに備え、前記プランジャ（１０２）は、前記中心内腔を通って配置され、前記保護チューブ（１１０）の前記遠端（３０）は、前記子宮内器具（ＩＵＤ）（１２０）を受けるように構成されている、請求項１〜６のいずれかに記載の挿入器具（１００）。
【請求項８】
前記保護チューブ（１１０）は、前記保護チューブ（１１０）の表面上に、随意に摺動可能なフランジ（１１４）をさらに備え、前記フランジ（１１４）は、子宮（２１０）の入口に当接して、子宮腔（２２２）内への保護チューブ（１１０）の更なる挿入を禁止するように構成される、請求項７に記載の挿入器具。
【請求項９】
前記ＩＵＤ（１２０）は、各々が丸みを付けられた翼先端を有する１対の翼（１２２）を備えるＴ字型のＩＵＤであり、前記翼（１２２）は中心ロッド（１２４）に固定され、前記ＩＵＤ（１２０）は、前記プランジャ（１０２）の前記遠端（３０）に位置付けられ、
前記保護チューブ（１１０）は、第１の個別の接触要素（１７０）に固定された関係で取付けられ、前記プランジャ（１０２）は、第２の個別の接触要素（１７２）に固定された関係で取付けられ、前記第１（１７０）および前記第２（１７２）の個別の接触要素は、互いに摺動可能な関係にあり、それらが摩擦によりともに係合することにより、第１の個別の位置（Ｐ１）で選択的に、前記プランジャ（１０２）に相対的な前記保護チューブ（１１０）の摺動に対する抵抗を増加するように構成され、前記第１の個別の位置（Ｐ１）は、前記ＩＵＤ（１２０）の前記中心ロッド（１２４）が前記プランジャ（１０２）の前記遠端（３０）と係合するとき、前記保護チューブ（１１０）が前記ＩＵＤ（１２０）の前記翼（１２２）の少なくとも一部を覆う前記保護チューブ（１１０）の位置に対応する、請求項７または８に記載の挿入器具（１００）。
【請求項１０】
前記ＩＵＤ（１２０）は、各々が丸みを付けられた翼先端を有する１対の翼（１２２）を備えるＴ字型のＩＵＤであり、前記翼（１２２）は中心ロッド（１２４）に固定され、前記ＩＵＤ（１２０）は、前記プランジャ（１０２）の前記遠端（３０）に位置付けられ、
前記保護チューブ（１１０）は、第３の個別の接触要素（１７０′）に固定された関係で取付けられ、前記プランジャ（１０２）は、第４の個別の接触要素（１７４）に固定された関係で取付けられ、前記第３（１７０′）および前記第４（１７４）の個別の接触要素は、互いに摺動可能な関係にあり、それらがともに係合することにより、第２の個別の位置（Ｐ２）で選択的に、前記プランジャ（１０２）に相対的な前記保護チューブ（１１０）の摺動に対する抵抗を増加するように構成され、前記第２の個別の位置（Ｐ２）は、前記ＩＵＤ（１２０）の前記中心ロッド（１２４）が前記プランジャ（１０２）の前記遠端（３０）と係合するとき、前記保護チューブ（１１０）が前記ＩＵＤ（１２０）の前記中心ロッドの少なくとも一部を覆い、かつ、前記翼が広がる前記保護チューブ（１１０）の位置に対応する、請求項７〜９のいずれかに記載の挿入器具。
【請求項１１】
前記第１（１７０）および前記第３（１７０′）の個別の接触要素は、１つの同じものである、請求項９を引用する請求項１０に記載の挿入器具。
【請求項１２】
前記ＩＵＤ（１２０）は、各々が丸みを付けられた翼先端を有する１対の翼（１２２）を備えるＴ字型のＩＵＤであり、前記翼（１２２）は中心ロッド（１２４）に固定され、前記ＩＵＤ（１２０）は、前記プランジャ（１０２）の前記遠端（３０）に位置付けられ、
前記保護チューブ（１１０）は、第５の個別の接触要素（１７０″）に固定された関係で取付けられ、前記プランジャ（１０２）は、第６の個別の接触要素（１７６）に固定された関係で取付けられ、前記第５の個別の接触要素（１７０″）および前記第６の個別の接触要素（１７６）は、互いに摺動可能な関係にあり、それらが係合することにより、第３の個別の位置（Ｐ３）で選択的に、前記プランジャ（１０２）に相対的な前記保護チューブ（１１０）の摺動を停止するように構成され、前記第３の個別の位置（Ｐ３）は、前記ＩＵＤ（１２０）の前記中心ロッド（１２４）が前記プランジャ（１０２）の前記遠端（３０）と係合するとき、前記ＩＵＤ（１２０）の前記中心ロッド（１２４）が露出する前記保護チューブ（１１０）の位置に対応する、請求項７〜１１のいずれかに記載の挿入器具。
【請求項１３】
前記第１（１７０）、前記第３（１７０′）および前記第５（１７０″）の個別の接触要素は、１つの同じものである、請求項９を引用する請求項１０を引用する請求項１２に記載の挿入器具。
【請求項１４】
請求項５および７に記載の挿入器具の特徴を備えた、請求項１〜４、６、または９〜１３のいずれかに記載の挿入器具と、
各々が丸みを付けられた翼先端を有する１対の翼（１２２）を備えるＴ字型の子宮内器具（ＩＵＤ）（１２０）とを備え、前記翼（１２２）は中心ロッド（１２４）に固定され、前記ＩＵＤ（１２０）は、前記プランジャ（１０２）の前記遠端（３０）に位置付けられ、前記ＩＵＤは、一端に、好ましくは前記ロッド（１２４）に取付けられた引抜き紐（１３０）をさらに備え、前記引抜き紐（１３０）は、前記引抜き紐（１３０）を受けるための前記縦方向の溝に沿って通る、挿入器具（１００）アセンブリ。
【請求項１５】
前記保護チューブ（１１０）の外側に前記翼（１２２）を有するように位置付けられたＩＵＤ（１２０）が設けられた、請求項１４に記載の挿入器具アセンブリを子宮腔（２２２）内に挿入するために仕込むための方法であって、
ａ）  前記引抜き紐（１３０）を緩めた状態で保つステップと、
ｂ）  前記ＩＵＤ（１２０）の前記中心ロッドが前記プランジャ（１０２）の前記遠端（３０）と係合するとき、前記ＩＵＤ（１２０）の前記翼先端が前記保護チューブ（１１０）から部分的に突出するが、接触しているように前記保護チューブ（１１０）が位置付けられるまで、前記保護チューブ（１１０）を前記プランジャ（１０２）を覆って遠位に部分的に前進させるステップと、
ｃ）  前記摩擦接触表面（１５２）の前記保護チューブ（１１０）に対する摩擦係合を作動させて、前記プランジャ（１０２）に相対的な前記保護チューブ（１１０）の位置を固定するステップと、
ｄ）  前記引抜き紐（１３０）に張力を与えるステップとを含む方法であって、前記ＩＵＤ（１２０）は、前記ＩＵＤの前記翼（１２２）が前記保護チューブ（１１０）により覆われ、前記ＩＵＤ（１２０）の前記翼先端（１２６）が前記保護チューブ（１１０）から部分的に突出する（好ましくは半分出る）が、接触しており、前記ＩＵＤ（１２０）の前記近端（２０）が前記プランジャ（１０２）の前記遠端（３０）と係合するまで、前記保護チューブの中心内腔内部に入り、前記方法はさらに、
ｅ）  それにより、前記挿入器具アセンブリを仕込むステップとを含む、方法。
【請求項１６】
前記保護チューブ（１１０）の外側に前記翼（１１０）を有するように位置付けられたＩＵＤ（１２０）が設けられた、請求項１４に記載の挿入器具アセンブリを子宮腔（２２２）内に挿入するために仕込むための方法であって、
ａ）  前記ＩＵＤ（１２０）の前記近端（２０）が、前記プランジャ（１０２）の前記遠端（３０）と係合するように、前記引抜き紐（１３０）を張力下に置くステップと、
ｂ）  前記ＩＵＤの前記翼（１２２）が前記保護チューブ（１１０）により覆われ、かつ、前記ＩＵＤ（１２０）の前記翼先端（１２６）が部分的に前記保護チューブ（１１０）から突出するが、接触しているまで、前記保護チューブ（１１０）を前記プランジャ（１０２）を覆って遠位に部分的に前進させるステップと、
ｃ）  それにより、前記挿入器具アセンブリを仕込むステップとを含む、方法。
【手続補正２】
【補正対象書類名】明細書
【補正対象項目名】００１３
【補正方法】変更
【補正の内容】
【００１３】
ハンドル（１０４）は、２つの縦方向部材（１５０）を有するように配置されてもよく、２つの縦方向部材（１５０）は、プランジャ（１０２）の中心縦軸のまわりに正反対に配置され、２つの縦方向部材（１５０）は、２つの縦方向部材（１５０）の手動による作動の際に、保護チューブ（１１０）に本質的に正反対の半径方向の力を加えるように構成される。
【手続補正３】
【補正対象書類名】明細書
【補正対象項目名】００３６
【補正方法】変更
【補正の内容】
【００３６】
【図１】挿入器具（１００）の主な要素の概略図である。
【図２】本発明の一実施形態に従う挿入器具（１００）の随意的な要素の簡略図であり、２つの縦方向部材（１５０）は、プランジャ（１０２）の中心縦軸のまわりに正反対に配置され、２つの縦方向部材（１５０）は、２つの縦方向部材（１５０）の手動による作動の際に、保護チューブ（１１０）に正反対の半径方向の力を加えるように構成される。
【図３】本発明の一実施形態に従う挿入器具（１００）の随意的な要素の概略図であり、２つの縦方向部材（１５０）は、プランジャ（１０２）の中心縦軸のまわりに正反対に配置され、２つの縦方向部材（１５０）は、保護チューブ（１１０）に正反対の半径方向の力を加えるように構成され、半径方向の力は、２つの縦方向部材（１５０）の手動による作動の際に減少される。
【図４】本発明の一実施形態に従う挿入器具（１００）の随意的な要素の概略図であり、摩擦接触表面（１５２）は、縦方向の誘導レール（１５６）を備え、保護チューブは、オーバーモールディング（１１６）を有する近端（２０）に設けられ、縦方向の誘導レール（１５６）およびオーバーモールディング（１１６）は、摺動可能に接続される。
【図４Ａ】プランジャ（１１０）の縦軸に垂直な面のオーバーモールディング（１１６）および誘導レール（１５６）の断面図である。
【図５】保護チューブ（１１０）である挿入器具（１００）の随意的な要素の概略図である。
【図６】フランジおよびカフが設けられる保護チューブ（１１０）である挿入器具（１００）の随意的な要素の概略図である。
【図７】随意に引抜き紐（１３０）に取付けられる子宮内器具（１２０）である、挿入器具（１００）の随意的な要素の概略図である。
【図８】挿入器具（１００）および保護チューブ（１１０）の好ましい実施形態を用いて、引抜き紐（１３０）に取付けられたＩＵＤ（１２０）を仕込むための方法のステップの概略図である。
【図９】挿入器具（１００）および保護チューブ（１１０）の好ましい実施形態を用いて、引抜き紐（１３０）に取付けられたＩＵＤ（１２０）を仕込むための方法のステップの概略図である。
【図１０】挿入器具（１００）および保護チューブ（１１０）の好ましい実施形態を用いて、引抜き紐（１３０）に取付けられたＩＵＤ（１２０）を仕込むための方法のステップの概略図である。
【図１１】挿入器具（１００）および保護チューブ（１１０）の好ましい実施形態を用いて、引抜き紐（１３０）に取付けられたＩＵＤ（１２０）を仕込むための方法のステップの概略図である。
【図１２】挿入器具（１００）および保護チューブ（１１０）の好ましい実施形態を用いて、引抜き紐（１３０）に取付けられたＩＵＤ（１２０）を仕込むための代替的な方法のステップの概略図である。
【図１３】挿入器具（１００）および保護チューブ（１１０）の好ましい実施形態を用いて、引抜き紐（１３０）に取付けられたＩＵＤ（１２０）を仕込むための代替的な方法のステップの概略図である。
【図１４】挿入器具（１００）および保護チューブ（１１０）の好ましい実施形態を用いて、引抜き紐（１３０）に取付けられたＩＵＤ（１２０）を仕込むための代替的な方法のステップの概略図である。
【図１５】挿入器具（１００）および保護チューブ（１１０）の好ましい実施形態を用いて、引抜き紐（１３０）に取付けられたＩＵＤ（１２０）を仕込むための代替的な方法のステップの概略図である。
【図１６】本発明の好ましい実施形態に従うさまざまなステップを含む、挿入器具（１００）および保護チューブ（１１０）の一実施形態を用いて、引抜き紐（１３０）に取付けられたＩＵＤ（１２０）を挿入するための方法のステップの概略図である。
【図１７】本発明の好ましい実施形態に従うさまざまなステップを含む、挿入器具（１００）および保護チューブ（１１０）の一実施形態を用いて、引抜き紐（１３０）に取付けられたＩＵＤ（１２０）を挿入するための方法のステップの概略図である。
【図１８】本発明の好ましい実施形態に従うさまざまなステップを含む、挿入器具（１００）および保護チューブ（１１０）の一実施形態を用いて、引抜き紐（１３０）に取付けられたＩＵＤ（１２０）を挿入するための方法のステップの概略図である。
【図１９】本発明の好ましい実施形態に従うさまざまなステップを含む、挿入器具（１００）および保護チューブ（１１０）の一実施形態を用いて、引抜き紐（１３０）に取付けられたＩＵＤ（１２０）を挿入するための方法のステップの概略図である。
【図２０】本発明の好ましい実施形態に従うさまざまなステップを含む、挿入器具（１００）および保護チューブ（１１０）の一実施形態を用いて、引抜き紐（１３０）に取付けられたＩＵＤ（１２０）を挿入するための方法のステップの概略図である。
【図２１】本発明の好ましい実施形態に従うさまざまなステップを含む、挿入器具（１００）および保護チューブ（１１０）の一実施形態を用いて、引抜き紐（１３０）に取付けられたＩＵＤ（１２０）を挿入するための方法のステップの概略図である。
【図２２】本発明の好ましい実施形態に従うさまざまなステップを含む、挿入器具（１００）および保護チューブ（１１０）の一実施形態を用いて、引抜き紐（１３０）に取付けられたＩＵＤ（１２０）を挿入するための方法のステップの概略図である。
【図２３】単一の縦方向部材および、保護チューブのカフが摺動可能に設置される誘導レールが設けられた、本発明の特定の挿入器具を示す図である。プランジャおよび保護チューブの遠端は、先端を切られている。
【図２４】誘導スロットが設けられた単一の縦方向部材および、スロットに摺動可能に係合する保護チューブのカフが設けられた、本発明の特定の挿入器具を示す図である。
【図２４Ａ】図２４Ａは、線Ａ−Ａ′に沿った面を通る横方向の断面図である。
【図２５】誘導スロット、スロットを摺動可能に配置する保護チューブのカフ、および、ハンドル内に配置される複数の個別の接触要素が設けられる挿入器具の図である。円で囲った領域１７１の拡大図は、図２６、図２６Ａ、図２７、図２７Ａ、および図２８、図２８Ａに代替的な構成とともに示される。
【図２６】第１の個別の位置において保護チューブをプランジャに相対的に位置付ける、第１および第２の個別の接触要素の構成に対応する、図２５の円で囲った領域１７１の拡大図を示す。
【図２６Ａ】第１の個別の位置において保護チューブをプランジャに相対的に位置付ける、第１および第２の個別の接触要素の構成に対応する、図２５の円で囲った領域１７１の拡大図を示す。
【図２６Ｂ】保護チューブが、第１の個別の位置においてプランジャに相対的に位置付けられたときの保護チューブ内のＩＵＤを示す図である。
【図２７】第２の個別の位置において保護チューブをプランジャに相対的に位置付ける、第３および第４の個別の接触要素の構成に対応する、図２５の円で囲った領域１７１の拡大図である。
【図２７Ａ】第２の個別の位置において保護チューブをプランジャに相対的に位置付ける、第３および第４の個別の接触要素の構成に対応する、図２５の円で囲った領域１７１の拡大図である。
【図２７Ｂ】保護チューブが、第２の個別の位置においてプランジャに相対的に位置付けられたとき、ＩＵＤが部分的に保護チューブ内にある状態を示す図である。
【図２８】第３の個別の位置において保護チューブをプランジャに相対的に位置付ける、第５および第６の個別の接触要素の構成に対応する、図２５の円で囲った領域１７１の拡大図である。
【図２８Ａ】第３の個別の位置において保護チューブをプランジャに相対的に位置付ける、第５および第６の個別の接触要素の構成に対応する、図２５の円で囲った領域１７１の拡大図である。
【図２８Ｂ】第３の個別の位置において保護チューブをプランジャに相対的に位置付ける、第５および第６の個別の接触要素の構成に対応する、図２５の円で囲った領域１７１の拡大図である。
【図２８Ｃ】保護チューブが、第３の個別の位置においてプランジャに相対的に位置付けられたとき、ＩＵＤが保護チューブから露出された状態を示す図である。
【図２９】摺動カフおよび、複数の個別の接触要素が収容されるハンドルが設けられた、挿入器具の斜視図である。
【図３０】保護チューブが第１の個別の位置においてプランジャに相対的に位置付けられる場合の挿入器具ハンドルの断面図である。
【図３１】保護チューブが第２の個別の位置においてプランジャに相対的に位置付けられる場合の挿入器具ハンドルの断面図である。
【図３２】保護チューブが第３の個別の位置においてプランジャに相対的に位置付けられる場合の挿入器具ハンドルの断面図である。
【図３３】保護チューブが第１の個別の位置においてプランジャに相対的に位置付けられる場合の挿入器具アセンブリおよび、この挿入器具を用いて仕込む可能なステップの断面図である。
【図３４】保護チューブが第１の個別の位置においてプランジャに相対的に位置付けられる場合の挿入器具アセンブリおよび、この挿入器具を用いて仕込む可能なステップの断面図である。
【図３５】本発明の好ましい実施形態に従うさまざまなステップを含む、個別の接触要素とともに配置される挿入器具（１００）および保護チューブ（１１０）の一実施形態を用いた、引抜き紐（１３０）に取付けられるＩＵＤ（１２０）を挿入するための方法のステップの概略図である。
【図３６】本発明の好ましい実施形態に従うさまざまなステップを含む、個別の接触要素とともに配置される挿入器具（１００）および保護チューブ（１１０）の一実施形態を用いた、引抜き紐（１３０）に取付けられるＩＵＤ（１２０）を挿入するための方法のステップの概略図である。
【図３７】本発明の好ましい実施形態に従うさまざまなステップを含む、個別の接触要素とともに配置される挿入器具（１００）および保護チューブ（１１０）の一実施形態を用いた、引抜き紐（１３０）に取付けられるＩＵＤ（１２０）を挿入するための方法のステップの概略図である。
【図３８】本発明の好ましい実施形態に従うさまざまなステップを含む、個別の接触要素とともに配置される挿入器具（１００）および保護チューブ（１１０）の一実施形態を用いた、引抜き紐（１３０）に取付けられるＩＵＤ（１２０）を挿入するための方法のステップの概略図である。
【手続補正４】
【補正対象書類名】明細書
【補正対象項目名】００７７
【補正方法】変更
【補正の内容】
【００７７】
本発明の実施形態では、保護チューブ（１１０）はさらに、たとえば、図４に示されるように、カフ（１１６）を備える。カフ（１１６）は、典型的には、オーバーモールディングとして、保護チューブ（１１０）を覆って配置される短い鍔部である。カフ（１１６）は、最も典型的には、近端で、保護チューブ（１１０）の外側表面を沿うある点に配置される。一般的に、保護チューブ（１１０）に固定され、それに対して非摺動可能であってもよい。カフ（１１６）の横方向外形は、本質的に円形であっても、本質的に長方形であっても、本質的に四角形であってもよい。カフ（１１６）は、保護チューブ（１１０）の指による、最も特定的には親指による、摺動のための表面を設ける。カフ（１１６）は、プランジャ（１０２）の中心縦軸に相対的な半径方向の力を受けるように構成されてもよく、力は、カフ（１１６）の手動による作動の際に、縦方向部材（１５０）、より特定的には摩擦接触表面（１５２）に伝達される。カフは、半径方向に圧縮不可能であるため、力は、半径方向に伝えられ得る。カフは、ポリプロピレン、アクリロニトリルブタジエンスチレン（ＡＢＳ）またはポリオキシメチレン（ＰＯＭ）からなってもよい。
【手続補正５】
【補正対象書類名】明細書
【補正対象項目名】００９６
【補正方法】変更
【補正の内容】
【００９６】
第３の個別の位置（Ｐ３）は、第２の個別の位置（Ｐ２）および第１の個別の位置（Ｐ１）から縦方向に空間的に分離される。第３の個別の位置（Ｐ３）は、第２（Ｐ２）および第１（Ｐ１）の個別の位置に近位である。第６の接触要素（１７６）は、第４の接触要素（１７４）から縦方向に空間的に分離されている。第６の接触要素（１７６）は、第４の接触要素（１７４）に近位である。
【手続補正６】
【補正対象書類名】明細書
【補正対象項目名】０１３３
【補正方法】変更
【補正の内容】
【０１３３】
図３５〜図３８を参照して、本発明の挿入器具アセンブリを用いてＩＵＤ（１２０）を挿入するための代替的な方法は、
ａ）  第１の個別の位置（Ｐ１）において摩擦接触表面（１５２）に対する保護チューブ（１１０）のカフ（１１６）の摩擦係合を作動させて、プランジャ（１０２）に相対的な保護チューブ（１１０）の位置を固定させるステップと、
ｂ）  挿入器具アセンブリの遠端を、子宮頚管（２２０）を通って子宮腔（２２２）内に部分的に前進させる（図３５）ステップと、
ｃ）  保護チューブ（１１０）のカフ（１１６）の摩擦係合を摩擦接触表面（１５２）から解放する（図３６）ステップと、
ｄ）  ＩＵＤ（１２０）の翼（１２２）は保護チューブ（１１０）から露出するが、中心ロッド（１２４）は保護チューブ（１１０）によって覆われたままとなるように、カフ（１１６）を摺動させることにより保護チューブ（１１０）を第２の個別の位置（Ｐ２）まで後退させる（図３６）ステップと、
ｅ）  摩擦接触表面（１５２）に対する保護チューブ（１１０）のカフ（１１６）の摩擦係合を作動させて（図３６）、第２の個別の位置（Ｐ２）においてプランジャ（１０２）に相対的な保護チューブ（１１０）の位置を固定させるステップと、
ｆ）  挿入器具アセンブリの遠端を子宮腔（２２２）内にさらに前進させる（図３７）ステップと、
ｇ）  保護チューブ（１１０）のカフ（１１６）の摩擦係合を摩擦接触表面（１５２）から解放する（図３７）ステップと、
ｈ）  中心ロッド（１２４）が保護チューブ（１１０）から露出されるように、カフ（１１６）を摺動させることにより保護チューブ（１１０）を第３の個別の位置（Ｐ３）に後退させる（図３８）ステップと、
ｉ）  挿入器具（１００）を引抜くステップと、
ｊ）  それにより、ＩＵＤ（１２０）を挿入し、位置付けるステップとを含む。